(57)【要約】エクササイズチェアーは、フレーム、床の上のエクササイズチェアーをサポートするよう適合されたイスフレームと固定された土台を含む。土台とイスフレームはそこから突き出ている複数のアンカーを有する。クッションはフレームの少なくとも一部を覆うことができる。複数の抵抗バンドはそれぞれそこを通る複数の縦スロットを有し、それぞれはあらゆるアンカーノブまたはいくつかの取り付け可能なエクササイズデバイスと選択的に固定するために適合する。使用時、人はイスに座り、イスはサポート表面に置かれ、少なくとも一つの抵抗バンドを押したり引いたりして人が運動できるよう、一つまたは二つの抵抗バンドがどこかのアンカーノブに固定可能である。異なるタイプのアタッチメントがさまざまな部位の筋肉を鍛えるために含まれている。
2019513073.tif 000002
【特許請求の範囲】
【請求項１】
人用エクササイズチェアーであって、それは以下を含む；
座面の後端とその下端で固定されている背もたれを含むイスフレーム、
各フレームは一つのフレームの側縁と固定されていて、フレームから横方向に突き出ている少なくとも一つの上部アンカーノブおよび/またはアンカーアパーチャを含み、
座面の下端と固定されており、サポート表面上でエクササイズチェアーをサポートするよう適合されている土台、
ここで、土台は、そこから突き出ている少なくとも一つの下部アンカーノブおよび/またはアンカーアパーチャ、または、土台を横断する少なくとも一つのアンカーアパーチャを有する、
あらゆるアンカーノブまたはアンカーアパーチャに選択的に固定されるよう適合した少なくとも一つのエラストマー抵抗バンド、
これにより人はイスに座り、そのイスはサポート表面上に置かれ、少なくとも一つの抵抗バンドを押したり引いたりして人が運動できるように、少なくとも一つ抵抗バンドはあらゆるアンカーノブまたはアンカーアパーチャと固定される。
【請求項２】
請求項１のエクササイズチェアーであって、さらに少なくとも一つのフレームの少なくとも一部を覆っている少なくとも一つのクッションまたはカバーを含んでいる、エクササイズチェアー。
【請求項３】
請求項１のエクササイズチェアーであって、ここで土台は、座面の下端に固定されている軸受けメカニズムとその上端で固定されている中央垂直軸を含み、中央垂直軸の下端はそこから下方向に突き出ている複数の土台脚の中で終わり、各土台脚はその遠位端でサポート表面に接触するよう適合されている、エクササイズチェアー。
【請求項４】
請求項１のエクササイズチェアーであって、ここで少なくとも一つのエラストマー抵抗バンドはあらゆるアンカーノブと選択的に固定されるために適合された少なくとも一つアパーチャまたはスロットを含んでいる、エクササイズチェアー。
【請求項５】
請求項１のエクササイズチェアーであって、ここで少なくとも一つのエラストマー抵抗バンドはあらゆるアンカーアパーチャと選択的に固定されるため適合された少なくとも一つのフックを含んでいる、エクササイズチェアー。
【請求項６】
請求項１のエクササイズチェアーであって、ここで背もたれの上側はさらに二つの反対の端を持つ伸長可能な最初のTバーを含み、それぞれはTバーアンカーノブまたはアンカーアパーチャで終わり、背もたれの上の収納位置と伸びた位置の間で最初のTバーは配置可能である、エクササイズチェアー。
【請求項７】
請求項１のエクササイズチェアーであって、ここで座面の前面はさらに二つの反対の端を持つ２番目のTバーを含み、それぞれはTバーアンカーノブまたはアンカーアパーチャで終わり、座面の前の収納位置と伸びた位置の間で２番目のTバーは配置可能である、エクササイズチェアー。
【請求項８】
請求項７のエクササイズチェアーであって、２番目のTバーが伸ばされた位置にあると２番目のTバーが上下に回転するように、ここでは２番目のTバーは座面に回転式に取り付けられている、エクササイズチェアー。
【請求項９】
請求項１のエクササイズチェアーであって、ここで少なくとも一つの抵抗バンドは取り付け可能なハンドルを含む、エクササイズチェアー。
【請求項１０】
請求項１のエクササイズチェアーであって、さらに少なくとも一つの下部アンカーノブで土台に固定できるペダルアッセンブリを含み、ペダルアッセンブリを足で使えるように、ペダルアッセンブはエクササイズチェアーの前面に配置されている、エクササイズチェアー。
【請求項１１】
請求項１のエクササイズチェアーであって、ここで各アンカーノブは一つのフレームまたは土台のいずれかのねじ込まれたレシーバーにねじ込むためスレッド軸を含む、エクササイズチェアー。
【請求項１２】
請求項２のエクササイズチェアーであって、ここで少なくとも一つの上部アンカーノブはそれぞれフレームを横断している延長チューブおよび/または少なくとも一つのカバーと一つのフレームの側縁で固定されており、少なくとも一つの上部アンカーノブは少なくとも一つのカバーから横方向に突き出ていて、ここでは少なくとも一つのアンカーノブは少なくとも一つの延長チューブまたは土台のいずれかのねじ込まれたレシーバーにねじ込むためのスレッド軸を含む、エクササイズチェアー。
【請求項１３】
請求項１２のエクササイズチェアーであって、ここで各上部アンカーノブの側面位置が横方向に調整可能であるように、各延長チューブは横方向に調整可能である、エクササイズチェアー。
【請求項１４】
請求項１２のエクササイズチェアーであって、ここで各延長チューブは最初の固定されたスリーブ、最初の固定されたスリーブ内にキャプチャーされた２番目の伸長可能なインナーチューブ、スレッド軸を含む伸長可能なチューブを含み、これにより、伸長可能なインナーチューブは手動で伸長されたり最初の固定されたスリーブ内に収納されたりする、エクササイズチェアー。
【請求項１５】
請求項１のエクササイズチェアーであって、さらに少なくとも二つの抵抗バンド、二つの抵抗バンドの一つと各端で固定可能なアタッチメントバーを含み、各抵抗バンドは上部アンカーノブの一つと反対の端で固定され、これにより腕の運動のために人がアタッチメントバーを押したり引いたりする、エクササイズチェアー。
【請求項１６】
請求項１のエクササイズチェアーであって、さらに少なくとも二つの抵抗バンドを含み、それぞれ中央湾曲ハンドルを有し、これにより各抵抗バンドの反対の端は背もたれの共通サイドで上部アンカーと固定され、それにより腕の運動のために人が中央湾曲ハンドルを押したり引いたりする、エクササイズチェアー。
【請求項１７】
請求項１のエクササイズチェアーであって、さらに少なくとも二つの上部アンカーノブと結ぶよう適合されているブラケットの組を含み、各ブラケットは背もたれから横方向に離れた側壁から伸びているカップを含み、各カップは上向きで、そこで回転式にUバーアタッチメントを保持しており、各Uバーアタッチメントは少なくとも一つの抵抗バンドで背もたれの後ろ側のあたりで一緒に固定されていて、これによりイスに座った人は一つのUバーアタッチメントに肘または腕を入れ、腕と胸部の筋肉を鍛えるため一緒に腕を動かす、エクササイズチェアー。
【請求項１８】
請求項３のエクササイズチェアーであって、ここで土台はさらに少なくとも一つの土台脚の上側に埋め込まれた少なくとも一つのアンカーノブまたはアンカーアパーチャを含む、エクササイズチェアー。
【請求項１９】
請求項１のエクササイズチェアーであって、ここで少なくとも一つの抵抗バンドはそれを通してアパーチャのあたりに隆起し、強化されたセクションを含むかもしれず、アンカーノブが抵抗バンドと固定されるとアンカーノブの上で抵抗バンドを回転式にキャプチャーするために隆起し、強化されたセクションと対応する凹み部分を各アンカーノブは含んでいる、エクササイズチェアー。
【請求項２０】
請求項１のエクササイズチェアーであって、さらに座面に選択的に固定可能な取り外し可能なケースを含み、取り外し可能なケースは内部の収納スペースにアクセスできる選択的な開口を持ち、ケースはさらにハンドルを有し、複数の抵抗バンドや延長チューブを保持するよう適合されており、ケースはさらにそこから突き出ている複数のアンカーノブおよび/またはその中の複数のアンカーアパーチャを含んでいる、エクササイズチェアー。
【請求項２１】
請求項１のエクササイズチェアーであって、ここで少なくとも一つのアンカーノブは、少なくとも一つの抵抗バンドの一つのフックが結ばれるあたりでウエストとキャップされたノブを含む、エクササイズチェアー。
【請求項２２】
請求項１のエクササイズチェアーであって、ここで少なくとも一つのアンカーノブは少なくとも一つの抵抗バンドの一つのフックが結ばれる外側に突き出た輪を含む、エクササイズチェアー。
【発明の詳細な説明】
【技術分野】
【０００１】
関連した申請へのクロスリファレンス
本出願は、リファレンスによりここに盛り込まれている2016年3月24日にファイルされた米国仮特許申請62/313,088および2017年3月23日にファイルされた米国実用新案登録申請15/467,942の利益を主張する。
連邦支援研究開発に関する記述
該当なし
発明の分野
【０００２】
本発明はエクササイズデバイスに関連し、イスと組み合わせた抵抗バンドタイプのエクササイズデバイスにさらに特化する。
【背景技術】
【０００３】
エクササイズデバイスは、従来の技術ではほとんどがフロアスペースを必要とすると知られている。さらに、多くのエクササイズ機器はわずかな異なるエクササイズのみができるよう設計され、多種多様な筋肉群を鍛えようとすると、複数のエクササイズ機器が提供されなければならない。典型的なジムは多くの異なる機器を設置する。
【０００４】
ジムでのエクササイズが出来ない、または望まない人々にとって、特に一日中オフィスのイスに座っている人々にとって、個々の強度や運動の必要性に応じた多種多様な異なるエクササイズを製品が提供できる、オフィスのイスとエクササイズチェアーの組み合わせが有益となる。
【０００５】
それゆえ、オフィスまたはデスクのイスとエクササイズチェアーを組み合わせたデバイスの必要性があるのである。このような薄型のイスは多種多様な異なるエクササイズを可能にし、運動の追加を容易にし、簡単に取り付けられるさまざまなアクセサリーを含む。このように、従来のエクササイズ機器と比べ、必要とされた発明は、耐久性があり、製造や使用が比較的容易である。本発明はこのような目的を達成する。
【発明の概要】
【０００６】
本デバイスはイスに座ったまま使用する人のためのエクササイズチェアーである。エクササイズチェアーはまた薄型のオフィスまたはデスクのイスとしても使用される。イスのフレームは、下側でその座面の後端と固定された背もたれを含む。各フレームは、フレームの一つの側縁に固定され、横方向に突き出ている上部アンカーノブを選択的に固定するために適合した少なくとも一つのノブアパーチャを含む。
【０００７】
二つのオプションひじかけが、背もたれの側縁の一つにそれぞれ固定されうる。ひじかけはそれぞれ背もたれの前面から突き出ている。運動する際の収納位置とエクササイズチェアーがオフィスのイスとして使用される際の伸長された位置の間で、それぞれのひじかけは好みにより選択的に回転可能に配置可能である。
【０００８】
土台は座面の下端に固定され、床のようなサポート表面の上でエクササイズチェアーをサポートする。土台はそこから突き出ているアンカーノブの一つを受け取るために少なくとも一つの下部アンカーノブアパーチャを有する。好みにより、座面の下端に固定された軸受けメカニズムにその上端に固定された中央垂直軸を土台は含む。中央垂直軸の下端は、そこから下方向へ突き出ている複数の土台脚内で終わり、各土台脚はその遠位端でサポート表面に接触するよう適合されている。エクササイズチェアーがサポート表面の上を転がるよう各土台脚にはホイールがある。
【０００９】
好みにより、高さ調整アクチュエータが作動すると垂直軸の高さが調整されるように、中央垂直軸はテレスコープメカニズムと高さ調整アクチュエータを含む。さらに、チルトアクチュエータが作動するとイスフレームの傾きが土台に合わせて調整されるように、軸受けメカニズムはさらにチルトメカニズムとチルトアクチュエータを含む。
【００１０】
少なくとも一つのオプションのクッション、メッシュカバーまたはそのようなものがフレームの少なくとも一部を覆うことができる。このようにそこから突き出ている上部アンカーノブを除いたイスフレーム全体をクッションは覆うことができる。少なくとも一つのクッションがフレームの側縁を覆っているところで、上部アンカーノブが少なくとも一つのカバーで覆われないように、複数の延長チューブが弾性カバーを横切るために含まれていることができる。
【００１１】
イスの上部および下部両方の内部フレームワークは、個々のモジュラーセクションから構成されてもよい。これらのセクションはグリッドパターンに設けられた相互接続されたチューブで構成されうる。インナーチューブがイスの背もたれと座面両方の中央カラムに向かって隣接するセクションを通って配置されるように、個々のセクションは並ぶ。各セクションのインナーチューブは、イスの上部または前面のどちらかから伸長されるTバーを形成するために水平に固定されたチューブに接続されている。一旦伸長されると、Tバーは固定ピンで運動をするための位置に固定される。
【００１２】
インナーチューブはまた個々のセクション内で水平に設計されたチューブから伸び、運動する位置まで伸びて固定され得る。水平インナーチューブは、それらの外向きのセクション内に固定されたスレッドスリーブを有する。運動するために細長い抵抗バンドを固定するためにスレッドアンカーノブと一緒にこれらのスリーブは使用される。個々のセクションはまたセクションをイスの外側フレームに固定するため少なくとも二つのスレッドアパーチャを有する。このように、個々のセクションは簡単に修理できるようフレームから取り外しが可能である。
【００１３】
少なくとも一つのエラストマー抵抗バンドは、スレッドアンカーノブまたは取り付け可能なエクササイズデバイスに選択的に固定するためそれぞれ適合した複数の縦スロットを有する。スレッドアンカーノブは細長い抵抗バンドといくつかの取り付け可能なエクササイズデバイス両方に適用する。使用されないとき比較的薄型の外観となるようイスカバー、クッションまたはフレームに対してより平らな位置にノブはしまわれる。エクササイズをしたいときは、アンカーノブを緩め、エクササイズデバイスまたは抵抗バンドがアンカーノブにぴったりと取り付けられる。
【００１４】
一旦ノブの上に固定されると、アンカーノブをフレームにねじ込むことで調整バンドまたはデバイスはフレームに固定される。アンカーノブはイスの複数の位置にあり、抵抗バンドはいろいろな長さと縦スロットがある。抵抗を増やすような設定には一つ以上の抵抗バンドが使われる。さらに、異なる抵抗のためにいろいろな厚さの複数のタイプの抵抗バンドが使用される。抵抗バンドはコネクターでつないで延長でき、さまざまな長さとなり得る。このように、抵抗バンドは多種多様な抵抗レベルで多種多様な個々のエクササイズのためにどのアンカーノブにでも簡単に再設定、再設置することが可能である。
【００１５】
抵抗バンドはまた、イスに内蔵されたスロット付き固定デバイスに取り付けることも可能である。取り付けのため、抵抗バンドは安全フック上に配置され、安全フックはイスに固定されたスロット付きアンカーに取り付けられる。
【００１６】
これにより人はイスに座り、イスはサポート表面に置かれ、取り付けられたハンドルまたは他の取り付けられたエクササイズデバイスと少なくとも一つの抵抗バンドを押したり引いたりすることで運動できるように、少なくとも一つの抵抗バンドがどこかのアンカーノブに固定される。
【００１７】
一つの実施形態では、上部アンカーノブを覆い、フレームの側縁に少なくとも一つのクッションを伸ばすために、二つのサイドバッククッションと二つのサイドシートクッションは選択的に上部アンカーノブに固定可能である。いくつかの実施形態では、カラビナまたはフックで終わる抵抗バンドのような抵抗バンドの一つに固定する追加のアンカーポイントを提供するために、複数の水平アンカーバーがサイドバッククッションとサイドシートクッションに出ている。
【００１８】
いくつかの実施形態では、背もたれの上側はさらに各抵抗バンドの縦スロットが固定されるTバーアンカーノブでそれぞれ終わっている二つの反対側の端を有する伸縮可能な最初のTバーを含む。最初のTバーは、背もたれの上で伸縮可能である。同様に、さらに各抵抗バンドの縦スロットが固定されるTバーアンカーノブでそれぞれ終わっている二つの反対側の端を有する伸縮可能な２番目のTバーを、座面の前面は含む。２番目のTバーは最初のTバーと同様に座面の前面または下面で伸縮可能である。ここでの「アンカーノブ」の使用はまた取り外し可能なアンカーノブを伴うオプションのアンカーアパーチャを意味していることは理解可能である。
【００１９】
２番目のTバーはさらに座面に回転式に取り付けられる。２番目のTバーが引っ張る運動では伸びた状態で固定され、足上げ運動では低い位置に回転し固定されるように回転式デバイス上に穴が設けられている。Tバーは外側セクション内にブレンドするクッションのセクション内にしまい込まれ、薄い外観となるようシートの見えるセクションの下にしまわれる。このフラップは、イスのクッションまたはカバー素材に取り付けられる。Tバーデバイスを使う際フラップが開きTバーが伸びる。
【００２０】
エクササイズチェアーはさらに一つの抵抗バンドの一端にそれぞれ固定可能なアタッチメントバーを含む。腕や足の運動でアタッチメントバーを押したり引いたりするために、抵抗バンドのもう一つの端はアンカーノブの一つに固定される。
【００２１】
エクササイズチェアーはさらに曲がったチューブアタッチメントを含む。一つまたはそれ以上の抵抗バンドは曲がったチューブを通ってねじ込まれ、各抵抗バンドの反対の端は一つのアンカーノブに固定される。曲がったチューブは、イスの上部のハンドルとして、イスの下部の足を上げるデバイスとして使用される。
【００２２】
少なくとも二つの上部アンカーノブをそれぞれつなげるよう適合されたブラケットの組は、背もたれから横方向にブラケットの側壁から伸びているカップを含む。各カップは上向きで、そこで回転式にUバーアタッチメントを保持するよう適合する。各Uバーアタッチメントは少なくとも一つの抵抗バンドと背もたれの後ろ側あたりで共に固定されている。このように、イスに座った人は一つのUバーアタッチメントに肘または前腕を入れ、腕や胸部の筋肉を鍛えるよう腕を一緒に動かすことが可能である。
【００２３】
いくつかの実施形態では、ペダルアッセンブリが少なくとも一つの下部アンカーノブで、少なくとも一つの抵抗バンドとともに土台に固定されうる。足でペダルを回転させるペダルアッセンブリを使用するために、ペダルアッセンブリはエクササイズチェアーの前面に配置されている。このエクササイズは、抵抗運動と同様にエアロビックスタイルの運動を提供する。
【００２４】
いくつかの実施形態では、スロットのあるゴムバンドがイスの底でアンカーに固定されうる。他のさらに長いゴムバンドは、足または足首のところで輪を作るようそれらのスロットの間にねじ込まれている。両方のバンドはアンカーノブに取り付けられている。
【００２５】
そして、足を交互に反対方向へ出したり引いたりするエクササイズが行われる。
【００２６】
任意に持ち運び用バッグがエクササイズチェアーに含まれている。この持ち運び用バッグは、抵抗バンド、エクササイズアタッチメント、エクササイズチェアーで使用するその他の道具類をしまえる様複数の部分に分かれている。
【００２７】
本発明は、オフィスまたはデスクのイスとエクササイズチェアーの組み合わせである。この薄型エクササイズチェアーは多種多様な異なる運動を提供し、追加の運動を容易にするために簡単に装着できるアクセサリーを含んでいる。本発明は耐久性があり製造や使用が比較的簡単で、従来のエクササイズ機器と比較して比較的安価である。本発明のその他の特徴や利点は、本発明の本質の例法によって図解された添付の図と共に記されている以下のより詳細な説明から明らかとなる。
【図面の簡単な説明】
【００２８】
【図１】図１は、本発明の透視図である。
【図２】図２はカバー無しで描かれた本発明のイスフレームの透視図である。
【図３】図３A は、本発明の背もたれの部分斜視図で、イスフレームに取り付けられているオプションのサイドバッククッションとサイドシートクッションが描かれ、サイドバッククッションはその内側を見せるため部分的に壊されている。図３B は、図３A の一つのサイドシートクッションの後方斜視図で、イスフレームから取り外され、水平アンカーバーの分解された格子と共に示されている。
【図４】図４は、本発明の土台の部分斜視図で、二つの下部アンカーノブの間で伸びている抵抗バンドが描かれている。
【図５】図５は、土台の部分斜視図で、中心湾曲ハンドルのある抵抗バンドの一つの実施形態を示す。
【図６】図６は、土台と二つの抵抗バンドが添付されたペダルアッセンブリの部分斜視図である。
【図７】図７は、本発明の透視図で、背もたれと座面を見せるために部分的に壊し、さらに発明のTバーアッセンブリの組を示す。
【図８】図８は、抵抗バンドの一つの実施形態の拡大した斜視図で、そこに固定されたハンドル、ねじ込まれたアンカーノブ、ねじ込まれた受けを示す。
【図９】図９は、本発明の斜視図で、抵抗バンドの組とイスフレームに固定されているオプションのアタッチメントバーを示す。
【図１０】図１０は、Uバーアタッチメントのあるブラケットを持つ実施形態の部分斜視図である。
【図１１】図１１は、イスの後ろの二つのUバーアタッチメントの間で伸びている抵抗バンドとイスに付けられているブラケットの組とUバーアタッチメントの部分斜視図である。
【図１２】図１２は、本発明の斜視図で、中央湾曲ハンドルを持つ抵抗バンドの組を示す。
【図１３−１】図１３A は、本発明のエクササイズチェアーに座って上腕二頭筋運動を行っている人の斜視図である。図１３B は、本発明のエクササイズチェアーに座ってベンチプレスタイプの運動を行っている人の斜視図である。図１３C は、本発明のエクササイズチェアーに座って胸部の運動を行っている人の斜視図である。図１３D は、本発明のエクササイズチェアーに座って持ち上げるタイプの運動を行っている人の斜視図である。
【図１３−２】図１３E は、本発明のエクササイズチェアーに座って懸垂タイプの運動を行っている人の斜視図である。図１３F は、本発明のエクササイズチェアーに座って曲げるタイプの運動を行っている人の斜視図である。図１３G は、本発明のエクササイズチェアーに座って漕ぐタイプの運動を行っている人の斜視図である。図１３H は、本発明のエクササイズチェアーに座ってペダルをこぐ運動を行っている人の斜視図である。
【図１４】図１４は、本発明の交換可能なフレームセクションの斜視図である。
【図１５】図１５は、抵抗バンドとアンカーノブの他の実施形態の分解した部分斜視図である。
【図１６】図１６は、アンカーノブとフックのある抵抗バンドの他の実施形態の分解した部分斜視図である。
【図１７】図１７は、フック、スロットまたはアパーチャと抵抗バンドを付けることができるアンカーノブの他の実施形態の斜視図である。
【図１８】図１８は、座面から取り外し可能な持ち運び用収納ケースを有する発明の実施形態の斜視図である。
【発明を実施するための形態】
【００２９】
発明のイラスト化された実施形態が以下に記されている。以下の説明は、これらの実施形態のための記載を十分に理解し可能にするための特化した詳細を提供する。このような詳細なしでも発明が実施されることは当業者には理解可能である。言いかえれば、実施形態の不必要で不明瞭な記載を避けるため、よく知られた構造や機能は、詳細に示したり記したりされていない。
【００３０】
文脈が十分な解説やクレームを明確に必要としない限り、用語「含む」「構成する」は、排他的または網羅的な意味とは対照的に包含的な意味、つまり「含まれるがその限りではない」といった意味で解釈されるべきである。単数または複数で使用される用語もまたそれぞれ複数または単数を含む。さらに、用語「ここでの」「上」「下」や同様な用語は、本申請で使用される際には、本申請の特別な部分ではなく全体として、本申請に言及する。二つまたはそれ以上のアイテムのリストの言及に用語「または」をクレームが使用する際、用語（リスト内のいかなるアイテム、リスト内のすべてのアイテム、リスト内のアイテムのいかなる組み合わせの）用語の以下の解釈のすべてをその用語はカバーする。用語「各」が少なくとも一つであるように前に紹介されているエレメントを言及するのに使用される際、用語「各」は複数のエレメントを必然的に暗示することはありませんが、単一のエレメントを意味することもある。
【００３１】
図１と２は、イス１０に座ったまま人２０が使用するエクササイズチェアー１０を示す。エクササイズチェアー１０はまた、オフィスまたはデスクのイスとしても使用される。背もたれのある実施形態が図に示されているが、（図１に）示されているようなイス設計とは反対にスツール設計（示されていない）である代わりに背もたれ４０をイス１０が有する必要はない。
【００３２】
堅いイスフレーム３０は、座面５０の後端５２と下端４２で固定されている背もたれ４０を含む。フレーム４０、５０それぞれは、フレーム４０、５０の一つの側縁４５、５５に固定された少なくとも一つの上部アンカーノブ６０を含む。各上部アンカーノブ６０はフレーム４０、５０から横方向に突き出ている。さまざまな運動をするためにフレーム３０から各上部アンカーノブ６０がある程度伸びるように、各フレーム４０、５０は伸縮自在である。（図２）さらに、一つのセクションが壊れてもすぐに他の予備セクションに交換されるよう交換可能なモジュールセクション３２で、背もたれ４０と座面５０の各セクションはできていることができる（図１４）。できればフレーム４０、５０は、堅い金属材で作られる。
【００３３】
二つの堅い回転式サイドアーム７０は、背もたれ４０の側縁４５の一つにそれぞれ固定されている。サイドアーム７０はそれぞれ背もたれ４０の前面４１から突き出ている。各サイドアーム７０は収納位置１４０と伸ばされた位置１５０の間で選択的に回転式に配置可能である。他にサイドアーム７０は（示されていないが）T型をとり、座面４０に固定され、そこから上向きに突き出ていることができる。
【００３４】
土台８０は、座面５０の下端５９に固定されており、床のようなサポート表面１５の上でエクササイズチェアー１０を支えるように適合する（図１）。土台８０は、そこから突き出ている少なくとも一つの下部アンカーノブ６１および/または土台脚１８０のトップ１８９を通って横断している少なくとも一つのアンカーアパーチャ６４を有する（図４）。
【００３５】
土台８０は、座面５０の下端５９と固定されている軸受けメカニズム１７０と上端１６８で固定されている中央垂直軸１６０を含む。中央垂直軸１６０の下端１６２はそこから下方向に突き出ている複数の土台脚１８０の中で終わり、各土台脚１８０は遠位端１８８でサポート表面１５に接触するように適合されている。エクササイズチェアーがサポート表面１５上を転がるよう各土台脚１８０はホイール１９０を含む。
【００３６】
好ましくは、高さ調整アクチュエータ２１０が調整されると垂直軸１６０の高さが調整されるように、中央垂直軸１６０はテレスコープメカニズム２００と高さ調整アクチュエータ２１０を含む。いくつかの実施形態では、テレスコープメカニズム２００は負荷なしで完全に伸びる位置へ偏り、そして（イス１０に座っている人２０のような）負荷有りでテレスコープメカニズム２００は後退した位置に促される。
【００３７】
さらに、好ましくは、チルトアクチュエータが作動するとイスフレーム３０の傾きが土台８０に関して調整されるように、軸受けメカニズム１７０はチルトメカニズム２２０とチルトアクチュエータ２３０を含む。
【００３８】
他には土台８０は当該分野において一般的であるように少なくとも三つの下方向に突き出た垂直脚（示されていない）を含む。しかし、従来技術とは異なり、このような垂直脚はまたそこから突き出ている少なくとも一つの下部アンカーノブ６１を含んでいる。このような垂直脚それぞれは、またホイール１９０の一つを含む。
【００３９】
少なくとも一つのクッションまたはカバー９０はフレーム４０、５０の少なくとも一部を覆っている。このようなクッション９０はそこから突き出ている上部アンカーノブ６０を除いてイスフレーム３０の全体を覆う。少なくとも一つのクッション９０が側縁４５、５５を覆っているところで、上部アンカーノブ６０が少なくとも一つのカバー９０で覆われないように、弾性カバー９０を横断するために複数の延長チューブ１１０が含まれることができる。
【００４０】
いくつかの実施形態では、エクササイズチェアー１０の背もたれ４０と座面５０の両方の内部フレームワークは、個々のモジュールセクション３２で構成されうる。これらのモジュールセクションはグリッドパターンに設定された相互接続チューブ３３で構成されている。エクササイズチェアー１０の背もたれ４０と座面５０両方の中央カラム３４に向かって調整セクションを通って各インナーチューブ３３が配置される方法で、個々のセクション３２は並ぶ。このインナーチューブ３３はTバー２３０、２６０を形成するために水平に固定されたチューブと接続されている。Tバー２３０、２６０は、イス１０の上部と前面の両方から伸びることが可能である。一旦伸ばされると、運動を実行するために配置されたアパーチャ３７を通って固定ピンで固定される。
【００４１】
インナーチューブ３３はまた、個々のセクション３２の中で水平に設定された延長チューブ１１０から伸び、エクササイズのために所定の場所に固定される。水平延長チューブ１１０は、セクションに対して外側に固定されているスレッドスリーブまたはレシーバー３０５を有する。これらのスリーブ３０５は、エクササイズのために細長い抵抗バンド１００を固定するためねじ込まれたアンカーノブ６０、６１，６２と一緒に使用される。個々のセクション３２にはまた、イス１０の外側フレーム３０にセクション３２を固定するため少なくとも二つのスレッド穴３６がある。このように、個々のセクション３２は簡単な修理のためにフレーム３０から取り外し可能である。
【００４２】
いくつかの実施形態では、運動を実行する、またはイスフレーム３０の側縁４５、５５の中に延長チューブ１１０と上部アンカーノブ６０を収縮するために人２０が望むように、延長チューブ１１０は伸縮自在で比較的延長可能である。例えば、各延長チューブ１１０は最初の固定されたスリーブ１１１と最初の固定されたスリーブ１１１の中にしまわれた２番目の延長可能なインナーチューブ１１２を含み、延長可能なチューブ１１２はねじ込まれたレシーバー３０５を含んでいる（図８）。少なくとも一つのクッションまたはカバー９０は発泡体または他の柔軟な素材を含む。他に、クッション９０はメッシュ素材ことができる（示されていない）。
【００４３】
少なくとも一つのエラストマー抵抗バンド１１０は複数の縦アパーチャ１０６またはスロット１０５を有し、アンカーノブ６０、６１またはエクササイズデバイスと選択的に固定するためにそれぞれ適合する。スロット１０５は、安全に固定するためアンカーノブ６０、６１のあたりにぴったりとフィットする。アンカーノブ６０、６１は薄型で、カバー９０または二つか三つの抵抗バンド１００が収まるフレーム３０から十分遠くに伸びる。望めば、六角形ツールなどによって手動でアンカーノブ６０、６１をねじ込むことで各抵抗バンド１００はフレーム３０に取り付けられることができる（示されていない）。他には、ペダルアッセンブリ２９０、アタッチメントバー３１０、ハンドル３２０、Uバーアタッチメント３５０（以下参照）のようなさまざまなアクセサリーもまたアンカーノブ６０、６１に取り付けられる。
【００４４】
少なくとも一つのエラストマー抵抗バンド１００は、それを通って複数の縦スロット１０５またはアパーチャ１０６を有し、ねじ込まれたアンカーノブ６０、６１、６２または取り付け可能なエクササイズデバイスと選択的に固定するためにそれぞれ適合する。アンカーノブ６０、６１、６２は細長い抵抗バンド１００と取り付け可能なエクササイズデバイス（以下に説明されている）の両方と対応するようになっている。使用しないとき各アンカーノブ６０、６１、６２は薄型の外観のためカバー９０またはフレーム３０に対してより平らな位置に配置される。人２０が運動をしたいとき、アンカーノブ６０、６１、６２の一つはネジを外され、エクササイズデバイスまたは抵抗バンド１００はアンカーノブ６０、６１、６２のあたりにぴったりと置かれる。一旦アンカーノブ６０、６１、６２の上に固定されると、アンカーノブ６０、６１、６２をフレーム３０にねじ込むことで調整バンド１００またはデバイスはフレーム３０に固定される。
【００４５】
いくつかの実施形態では、少なくとも一つの抵抗バンド１００は、アンカーアパーチャ１０６のあたりに隆起し、強化されたセクション１０７を含み（図１５）、アンカーノブ６０、６１、６２が抵抗バンド１００と固定され、ねじ込まれたレシーバー３０５の一つと完全にくっつくと、アンカーノブ６０、６１、６２の上で抵抗バンド１００を回転式に捕らえるために隆起し、強化されたセクション１０７と相対的に凹んだ部分６５を各アンカーノブ６０、６１、６２は含んでいる。いくつかの実施形態では、抵抗バンド１００は、アンカーアパーチャ６４の一つへの、またはアンカーノブ６０の一つの輪６８を通って（図１６）、またはキャップされたアンカーノブ６７のウエスト６９の周り（図１７）に挿入するように適合されたフック１０８を含んでいる。
【００４６】
アンカーノブ６０、６１、６２はイス１０の複数の場所に配置され、抵抗バンド１００は複数の長さと縦スロット１０５を有する。抵抗を高めるために一つ以上の抵抗バンド１００が重ねて使用される。さらに、異なる抵抗のために異なる厚さの複数のタイプの抵抗バンド１００が使用される。バンド１００を延長するためにコネクター３６０（図１３D ）で抵抗バンド１００はお互い繋げられ、さまざまな長さとなる。このように、多種多様な抵抗レベルで多種多様な個々のエクササイズのためにアンカーノブ６０、６１、６２に簡単に抵抗バンド１００を再設定、再配置することが可能である。
【００４７】
好ましくは、各抵抗バンド１００は取り付け可能なハンドル２８０（図８）を含み、それはおそらくカラビナクリップ２８５などで縦スロット１０５の一つに取り付けられる。このように、多種多様なエクササイズのためにアンカーノブ６０、６１の上で抵抗バンド１００は簡単に再設定、再配置される。人２０にかかる抵抗を高めるために一つ以上の抵抗バンド１００が重ねて使用される。さらに、異なる抵抗のために異なる厚さの複数のタイプの抵抗バンド１００が使用される。バンド１００の長さを延長するためにコネクター３６０（図１３D ）で抵抗バンド１００はお互い繋げられ、異なるタイプのエクササイズへの使用またはさまざまな大きさの人々のためにさまざまな長さにすることが可能である。
【００４８】
イス１０に座った人２０とサポート表面１５上に置かれたイス１０とともに、ハンドル２８０または他のアクセサリーなど（図１３A からH）を伴って、少なくとも一つの抵抗バンド１００を押したり引いたりして人が運動できるように、少なくとも一つの抵抗バンド１００がどこかのアンカーノブ６０、６１に固定される。エクササイズチェアー１０上で異なるポジションを取り、どこかのアンカーノブ６０、６１、６２にさまざまに固定されている抵抗バンド１００を用いることで、屈強なフルボディワークアウト（体全体を鍛えること）が可能である。
【００４９】
一つの実施形態では、二つのサイドバッククッション１２０（図３A と３B）と二つのサイドシートクッション１３０は、上部アンカーノブ６０を覆い、フレーム４０、５０の側縁４５、５５まで少なくとも一つのクッション９０を伸ばすために上部アンカーノブ６０に選択的に固定されている。いくつかの実施形態では、カラビナまたはフック（示されていない）の中の抵抗バンド１００のような抵抗バンド１００の一つを固定する追加のアンカーポイントを提供するために、複数の水平アンカーバー１２２（図３B）がサイドバッククッション１２０やサイドシートクッション１３０の中に出ている。
【００５０】
いくつかの実施形態では、各抵抗バンド１００の縦スロット１０５が留めることができるあたりのTバーアンカーノブ６２でそれぞれ終わっている二つの反対の端２３５を持つ伸長可能な最初のTバー２３０を背もたれ４０の上側４８はさらに含む。最初のTバー２３０は背もたれ４０の上の収納位置２４０（図１）と伸びた位置２５０（図７）の間に配置可能である。少なくとも一つのカバー９０は伸長可能な最初のTバー２３０を覆わないが、最初のTバー２３０が収納位置２４０にあると平らに広げられている。できれば、Tバー２３０、２６０が薄型の外観のために収納位置２４０にあるとフラップ（示されていない）が両方を覆う。このフラップは、イス１０の上のクッションまたはカバー９０に取り付けられている。人２０が一つのTバー２３０、２６０に取り付けると、フラップは開けられ、Tバー２３０、２６０が伸長可能である。２番目のTバー２６０はさらに座面３０に回転式に取り付けられている。２番目のTバー２６０が伸びた位置２５０にあると引っ張る運動のために上がった位置２７５で固定され（図１３G）、２番目のTバー２６０が足上げ運動のために低い位置２７０に回転できるよう（図１３G）、穴（示されていない）がピボット２６４の上に配置されている。
【００５１】
いくつかの実施形態では、座面５０の前面５８はさらに二つの反対の端２６５を持つ伸長可能な２番目のTバー２６０を有し、各抵抗バンド１００の縦スロット１０５が留められるあたりのTバーアンカーノブ６２でそれぞれが終わっている。２番目のTバー２６０は、収納位置２４０（図１）と伸びた位置２５０（図７）の間で、最初のTバー２３０のように座面５０の前に配置可能である。少なくとも一つのカバー９０は伸長した２番目のTバー２６０を覆わないが、２番目のTバー２６０が収納位置２４０にあるとそれと一緒に平らに広がっている。２番目のTバー２６０が伸びた位置２５０にあると、２番目のTバー２６０が、ハンドグリップ（示されていない）による引っ張る運動のための上がった位置２７５や、足の運動の低い位置２７０の間で回転するように、２番目のTバー２６０はさらに座面５０に回転式に取り付けられている。
【００５２】
フレーム４０、５０、土台８０、または伸縮自在な延長チューブ１１０のいずれか一つのねじ込まれたレシーバー３０５の中にねじ込むためにねじ込まれた軸３００を各アンカーノブ６０、６１、６２は含む。六角形のツール、通常のマイナスドライバー（示されていない）などでねじ込まれたレシーバー３０５の中にこのようなアンカーノブ６０、６１、６２はねじ込められる。他には、ねじ込まれたレシーバー３０５とアンカーノブ６０、６１、６２を手動で取り付けられるよう各アンカーノブ６０、６１、６２はローレット外側表面６６（図１５）を含む。弾性バンド１００が一旦縦スロット１０５の一つでヘッド６３の上で伸ばされると弾性バンド１００が手動で取り外されるまでそこにとどまるよう、ねじ込まれた軸３００よりも大きな直径を持つヘッド６３が各アンカーノブ６０、６１、６２に含まれる。
【００５３】
図９に示されたように、一つの抵抗バンド１００の一つの端１０５と各端３１５で固定できるアタッチメントバー３１０をエクササイズチェアー１０はさらに含む。人２０が腕や足を運動するためにアタッチメントバー３１０を押したり引いたりするために、抵抗バンド１００のもう一方の端１０５はアンカーノブ６０、６１の一つに固定されている。
【００５４】
エクササイズチェアー１０はさらに湾曲したチューブアタッチメント３２０を含む。一つまたはそれ以上の抵抗バンド１００は湾曲したチューブアタッチメント３２０を通ってねじ込まれている。
【００５５】
各抵抗バンド１００の反対の端１０４はアンカーノブ６０、６１、６２に固定されている。湾曲したチューブアタッチメント３２０は、イス１０の背もたれ４０にあるハンドルとイス１０の土台８０にある足上げデバイスの両方として使用される。いくつかの実施形態では、少なくとも二つの抵抗バンド１００が含まれ、背もたれ４０の共通面４５（図１２と１３C）で上部アンカーノブ６０のようなアンカー６０、６１に各抵抗バンド１００の反対の端１０４が固定されているところで、各々が中央湾曲ハンドル（図５と１２）を有する。このような中央湾曲ハンドル３２０は、抵抗バンド１００を握りやすくするビニールまたはその他のタイプのスリーブである。
【００５６】
図１０と１１は、少なくとも二つの上部アンカーノブ６０を付けるよう適合されたブラケット３３０の組を示す。背もたれ４０から横方向に離れたブラケット３３０の側壁３３５から伸びているカップ３４０を各ブラケット３３０は含んでいる。各カップは上向きで、そこで回転式にUバーアタッチメント３５０を保持するよう適合されている。背もたれ４０の後ろ側４９のあたりで少なくとも一つの抵抗バンド１００と一緒に各Uバーアタッチメント３５０が固定されている。このように、イス１０に座った人２０は肘や上腕をUバーアタッチメント３５０の一つに入れ、腕や胸部の筋肉を鍛えるために一緒に腕を動かすことが可能である。
【００５７】
いくつかの実施形態では、少なくとも一つの下部アンカーノブ６１で少なくとも一つの抵抗バンド１００と土台８０にペダルアッセンブリ２９０（図６）が固定されうる。
【００５８】
回転ペダル２９５に付けた足で人２０がペダルアッセンブリ２９０を使えるように、ペダルアッセンブリ２９０はエクササイズチェアー１０の前面に配置されている。このエクササイズは抵抗運動と同様にエアロビックスタイルの運動も提供する。
【００５９】
いくつかの実施形態では、スロット１０５またはアパーチャ１０６のあるゴムバンド１００の一つは、イス１０の土台８０の上にある下部アンカー６１に固定されている。他のより長いゴム１０１（図４）は、足または足首の高さで輪１０２を作るためにそれらのスロット１０５の間にねじ込まれている。バンド１００、１０１両方ともアンカーノブ６１に取り付けられている。そして、足首の周りに固定された輪１０２に入れた足を反対方向に交互に押したり引いたりしてエクササイズが行われる。
【００６０】
他の実施形態では、持ち運び用バッグ（示されていない）がエクササイズチェアー１０に含まれている。この持ち運び用バッグは、抵抗バンド１００、エクササイズアタッチメント、エクササイズチェアー１０で使用される他の道具類をしまえる様複数の部分に分かれている。
【００６１】
他の実施形態では、ケース４００が使用されてないときケース４００を座面５０に収納するよう、取り外し可能なケース４００（図１８）が座面５０に選択的に固定可能である。内部の収納スペース４２０にアクセスできる選択的に開く側面４１０を取り外し可能なケース４００は有する。ケース４００はさらに持ち運び用ハンドル４３０を含み、複数の抵抗バンド１００と延長チューブ１１０を保持するよう適合されている。ケース４００はさらにそこから突き出ている複数のアンカーノブ６１および/またはその中の複数のアンカーアパーチャ６４を含む。このように、ケース４００は望めば特定の運動のためにイス１０から離して使用されることができる。抵抗バンド１００、エクササイズアタッチメント、エクササイズチェアー１０で使用されるその他の道具類を保持する複数の異なるコンパートメント（示されていない）をケース４００は含むことができる。ケース４００はまたスリーブ３０５とテレスコープチューブ１１０を収納し、その上に人が立ったり座ったりできるような強度がある。
【００６２】
発明の特定な形態が図に示され、記されているが、発明の精神と範囲を逸脱せずにさまざまな変更が行われ得ることは明らかである。さらに、添付のクレームによることを除き、発明は限定されるものではない。
【００６３】
本発明の特定な特徴や様態を記すのに使用される特定の用語は、用語が関連付けられて発明の特定の特性、機能、または、態様に限定されるよう、ここで用語が再定義されることを意味するように解釈されるべきではない。一般に、上記の詳細な説明のセクションが明示的にこのような用語を定義しない限り、明確に開示されている特定の実施形態も発明を限定するため以下のクレームで使用される用語は解釈されるべきではない。したがって、本発明の実際の範囲は開示された実施形態だけでなく、発明の練習や実装のすべての同等の方法を網羅する。
【００６４】
本発明の実施形態の上記の詳細な説明は、包括的であり、上に開示された精密な形態やこの開示で触れられている使用の特定分野に発明は限定されることを意図していない。発明の特定の実施形態や例はイラスト化の目的で上に記されているが、当業者には理解可能なように発明の範囲内においてさまざまな同等の変更が可能である。また、ここに提供された発明の教示は上に記されたシステムに限らず他のシステムにも適用可能である。上に記されたさまざまな実施形態のエレメントや行為はさらに実施形態を提供するために組み合わされる。
【００６５】
添付して提出される書類に記載されていることを含み上記の特許、申請およびほかのリファレンスのすべては、リファレンスによりここに組み込まれている。
【００６６】
必要であれば、発明の実施形態をさらに提供するために上記に記されたさまざまなリファレンスのシステム、機能、内容を採用するために発明の態様を変更可能である。
【００６７】
上記の「詳細な説明」に照らして発明の変更は可能である。上の記述が発明の特定の実施形態を詳細にし、企図された最良のモードが記されているが、どんなに上に記した文章に表しても、発明は多くの方法で試されうる。それゆえ、ここに開示された発明により包含されても、実装の詳細はかなり異なる。上に記したように、発明の特定な特徴や様態を記すのに使用される特定の用語は、用語が関連付けられて発明の特定の特性、機能、または、態様に限定されるようここで用語が再定義されることを意味するように解釈されるべきではない。
【００６８】
発明の特定の様態が以下の特定のクレーム形態で表されるが、本発明者は、任意の数のクレーム形態において本発明の様々な態様を企図する。さらに、本発明の他の態様のためのそのような追加のクレーム形態を追求するための申請後は、本発明者が追加請求を加える権利を留保する。
【符号の説明】
【００６９】
１０：イス
１５：サポート表面
２０：人
３０：堅いイスフレーム
３０：座面
３２：モジュールセクション
３３：インナーチューブ
３３：相互接続チューブ
３４：中央カラム
３６：スレッド穴
３７：アパーチャ
４０：背もたれ
４０，５０：フレーム
４１：前面
４２：下端
４５、５５：側縁
４５：背もたれ４０の共通面
４８：上側
４９：背もたれ４０の後ろ側
５０：座面
５２：後端
５８：前面
５９：下端
６０：アンカーノブ
６１：アンカーノブ
６２：アンカーノブ
６２：Tバーアンカーノブ
６３：ヘッド
６３：ヘッド
６４：アンカーアパーチャ
６５：凹んだ部分
６６：ローレット外側表面
６７：アンカーノブ
６８：輪
６９：ウエスト
７０：回転式サイドアーム
８０：土台
９０：クッション
９０：カバー
１００：抵抗バンド
１００，１０１：バンド
１０２：足首の周りに固定された輪
１０２：輪
１０４：端
１０５：端
１０５：縦スロット
１０５：スロット
１０６：縦アパーチャ
１０６：アンカーアパーチャ
１０６：アパーチャ
１０７：セクション
１０８：フック
１１０：延長チューブ
１１０：エラストマー抵抗バンド
１１１：スリーブ
１１２：インナーチューブ
１２０：サイドバッククッション
１２２：水平アンカーバー
１３０：サイドシートクッション
１４０：収納位置
１５０：伸ばされた位置
１６０：中央垂直軸
１６２：下端
１６８：上端
１７０：軸受けメカニズム
１８０：土台脚
１８８：遠位端
１９０：ホイール
２００：テレスコープメカニズム
２１０：高さ調整アクチュエータ
２２０：チルトメカニズム
２３０：チルトアクチュエータ
２３０：Tバー
２３５：端
２４０：収納位置
２５０：伸びた位置
２６０：Tバー
２６０：Tバー
２６５：端
２７５：位置
２７０：足上げ運動のために低い位置
２６４：ピボット
２７０：足の運動の低い位置
２７５：運動のための上がった位置
２８０：ハンドル
２８５：カラビナクリップ
２９０：ペダルアッセンブリ
２９５：回転ペダル
３００：軸
３０５：スレッドスリーブまたはレシーバー
３０５：ねじ込まれたレシーバー
３０５：レシーバー
３１０：アタッチメントバー
３１５：端
３２０：ハンドル
３２０：チューブアタッチメント
３３０：ブラケット
３３５：側壁
３４０：カップ
３５０：Uバーアタッチメント
３６０：コネクター
４００：ケース
４１０：側面
４２０：内部の収納スペース
４３０：持ち運び用ハンドル
【図１】
2019513073.tif 000003
【図２】
2019513073.tif 000004
【図３】
2019513073.tif 000005
【図４】
2019513073.tif 000006
【図５】
2019513073.tif 000007
【図６】
2019513073.tif 000008
【図７】
2019513073.tif 000009
【図８】
2019513073.tif 000010
【図９】
2019513073.tif 000011
【図１０】
2019513073.tif 000012
【図１１】
2019513073.tif 000013
【図１２】
2019513073.tif 000014
【図１３−１】
2019513073.tif 000015
【図１３−２】
2019513073.tif 000016
【図１４】
2019513073.tif 000017
【図１５】
2019513073.tif 000018
【図１６】
2019513073.tif 000019
【図１７】
2019513073.tif 000020
【図１８】
2019513073.tif 000021
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
人用エクササイズチェアーであって、以下を含む；
座面の後端とその下端で固定されている背もたれを含むイスフレーム、
各フレームは一つのフレームの側縁と固定されていて、フレームから横方向に突き出ている少なくとも一つの上部アンカーノブおよび/またはアンカーアパーチャを含む、
座面の下端と固定されており、サポート表面上でエクササイズチェアーをサポートするよう適合されている土台、
土台は、そこから突き出ている少なくとも一つの下部アンカーノブおよび/またはアンカーアパーチャ、または、土台を横断する少なくとも一つのアンカーアパーチャを有する、
あらゆるアンカーノブまたはアンカーアパーチャに選択的に固定されるよう適合した少なくとも一つのエラストマー抵抗バンド、
ここで座面の前面はさらに二つの反対の端を持つ伸長可能な２番目のTバーを含み、それぞれはTバーアンカーノブまたはアンカーアパーチャで終わり、座面の前の収納位置と伸びた位置の間で２番目のTバーは配置可能で、２番目のTバーが伸びた位置にあると２番目のTバーが上下に回転するように、ここで２番目のTバーは座面に回転式に取り付けられている、
これによって人はイスに座り、そのイスはサポート表面上に置かれ、少なくとも一つの抵抗バンドを押したり引いたりして人が運動できるように、少なくとも一つ抵抗バンドはあらゆるアンカーノブまたはアンカーアパーチャと固定される。
【請求項２】
請求項１のエクササイズチェアーであって、ここで土台は、座面の下端に固定されている軸受けメカニズムとその上端で固定されている中央垂直軸を含み、中央垂直軸の下端はそこから下方向に突き出ている複数の土台脚を横断し、各土台脚はその遠位端でサポート表面に接触するよう適合されている、人用エクササイズチェアー。
【請求項３】
請求項１のエクササイズチェアーであって、ここで少なくとも一つのエラストマー抵抗バンドはあらゆるアンカーノブと選択的に固定されるために適合された少なくとも一つアパーチャまたはスロットを含んでいる、人用エクササイズチェアー。
【請求項４】
請求項１のエクササイズチェアーであって、ここで背もたれの上側はさらに二つの反対の端を持つ伸長可能な最初のTバーを含み、それぞれはTバーアンカーノブまたはアンカーアパーチャで終わり、背もたれの上の収納位置と伸びた位置の間で最初のTバーは配置可能である、人用エクササイズチェアー。
【請求項５】
請求項１のエクササイズチェアーであって、ここで少なくとも一つの上部アンカーノブは、フレームを横断している延長チューブと一つのフレームの側縁で固定されており、少なくとも一つの上部アンカーノブは、フレームから横方向に突き出ていて、ここで少なくとも一つのアンカーノブは少なくとも一つの延長チューブまたは土台のいずれかのねじ込まれたレシーバーにねじ込むためのスレッド軸を含む、人用エクササイズチェアー。
【請求項６】
請求項５のエクササイズチェアー、ここで各上部アンカーノブの側面位置が横方向に調整可能であるように、各延長チューブは横方向に調整可能である、人用エクササイズチェアー。
【請求項７】
請求項５のエクササイズチェアー、ここで各延長チューブは最初の固定されたスリーブ、最初の固定されたスリーブ内にキャプチャーされた２番目の伸長可能なインナーチューブ、スレッド軸を含む伸長可能なチューブを含み、これにより、伸長可能なインナーチューブは手動で伸長されたり最初の固定されたスリーブ内に収納されたりする、人用エクササイズチェアー。
【請求項８】
請求項１のエクササイズチェアーであって、さらに少なくとも二つの抵抗バンド、二つの抵抗バンドの一つと各端で固定可能なアタッチメントバーを含み、各抵抗バンドは上部アンカーノブの一つと反対の端で固定され、これにより腕の運動のために人がアタッチメントバーを押したり引いたりする、人用エクササイズチェアー。
【請求項９】
請求項１のエクササイズチェアーであって、さらに少なくとも二つの抵抗バンドを含み、それぞれ中央湾曲ハンドルを有し、これにより各抵抗バンドの反対の端は背もたれの共通サイドで上部アンカーと固定され、それにより腕の運動のために人が中央湾曲ハンドルを押したり引いたりする、人用エクササイズチェアー。
【請求項１０】
請求項１のエクササイズチェアーであって、さらに少なくとも二つの上部アンカーノブと結ぶよう適合されているブラケットの組を含み、各ブラケットは背もたれから横方向に離れた側壁から伸びているカップを含み、各カップは上向きで、そこで回転式にUバーアタッチメントを保持するよう適合しており、各Uバーアタッチメントは少なくとも一つの抵抗バンドで背もたれの後ろ側のあたりで一緒に固定されていて、これによりイスに座った人は一つのUバーアタッチメントに肘または腕を入れ、腕と胸部の筋肉を鍛える運動のため一緒に腕を動かす、人用エクササイズチェアー。
【請求項１１】
請求項２のエクササイズチェアーであって、ここで土台はさらに少なくとも一つの土台脚の上側に埋め込まれた少なくとも一つのアンカーノブまたはアンカーアパーチャを含む、人用エクササイズチェアー。
【請求項１２】
請求項１のエクササイズチェアーであって、ここで少なくとも一つの抵抗バンドはそれを通してアパーチャのあたりに隆起し、強化されたセクションを含むかもしれず、アンカーノブが抵抗バンドと固定されるとアンカーノブの上で抵抗バンドを回転式にキャプチャーするために隆起し、強化されたセクションと対応する凹み部分を各アンカーノブは含んでいる、人用エクササイズチェアー。
【請求項１３】
請求項１のエクササイズチェアーであって、さらに座面に選択的に固定可能な取り外し可能なケースを含み、取り外し可能なケースは内部の収納スペースにアクセスできる選択的な開口を持ち、ケースはさらにハンドルを有し、複数の抵抗バンドや延長チューブを保持するよう適合されており、ケースはさらにそこから突き出ている複数のアンカーノブおよび/またはその中の複数のアンカーアパーチャを含んでいる、人用エクササイズチェアー。
【請求項１４】
人用エクササイズチェアーであって、以下を含む；
座面の後端とその下端で固定されている背もたれを含むイスフレーム、
各フレームは一つのフレームの側縁と固定されていて、フレームから横方向に突き出ている少なくとも一つの上部アンカーノブおよび/またはアンカーアパーチャを含む、
座面の下端と固定されており、サポート表面上でエクササイズチェアーをサポートするよう適合されている土台、
土台は、そこから突き出ている少なくとも一つの下部アンカーノブおよび/またはアンカーアパーチャ、および/または土台を横断する少なくとも一つのアンカーアパーチャを有する、
あらゆるアンカーノブまたはアンカーアパーチャに選択的に固定されるよう適合した少なくとも一つのエラストマー抵抗バンド、
少なくとも一つの上部アンカーノブはそれぞれフレームを横断している延長チューブと一つのフレームの側縁で固定されていて、少なくとも一つの上部アンカーノブはフレームから横方向に突き出ていて、そしてここで少なくとも一つのアンカーノブは少なくとも一つの延長チューブまたは土台のいずれかのねじ込まれたレシーバーの中にねじ込むためスレッド軸を含み、これによって人はイスに座り、イスはサポート表面の上に置かれ、少なくとも一つの抵抗バンドを押したり引いたりして人が運動するように、少なくとも一つの抵抗バンドはあらゆるアンカーノブまたはアンカーアパーチャに固定され得る。
【請求項１５】
請求項１４のエクササイズチェアーであって、ここで土台は、座面の下端に固定されている軸受けメカニズムとその上端で固定されている中央垂直軸を含み、中央垂直軸の下端はそこから下方向に突き出ている複数の土台脚の中で終わり、各土台脚はその遠位端でサポート表面に接触するよう適合されている、人用エクササイズチェアー。
【請求項１６】
請求項１４のエクササイズチェアーであって、ここで背もたれの上側はさらに二つの反対の端を持つ伸長可能な最初のTバーを含み、それぞれはTバーアンカーノブまたはアンカーアパーチャで終わり、背もたれの上の収納位置と伸びた位置の間に最初のTバーは配置可能である、人用エクササイズチェアー。
【請求項１７】
請求項１４のエクササイズチェアーであって、ここで各上部アンカーノブの側面位置が横方向に調整可能であるように、各延長チューブは横方向に調整可能である、人用エクササイズチェアー。
【請求項１８】
請求項１４のエクササイズチェアーであって、ここで各延長チューブは最初の固定されたスリーブ、最初の固定されたスリーブ内にキャプチャーされた２番目の伸長可能なインナーチューブ、スレッド軸を含む伸長可能なチューブを含み、これにより、伸長可能なインナーチューブは手動で伸長されたり最初の固定されたスリーブ内に収納されたりする、人用エクササイズチェアー。
【請求項１９】
請求項１４のエクササイズチェアーであって、さらに座面に選択的に固定可能な取り外し可能なケースを含み、取り外し可能なケースは内部の収納スペースにアクセスできる選択的な開口を持ち、ケースはさらにハンドルを有し、複数の抵抗バンドや延長チューブを保持するよう適合されており、ケースはさらにそこから突き出ている複数のアンカーノブおよび/またはその中の複数のアンカーアパーチャを含んでいる、人用エクササイズチェアー。
【請求項２０】
人用エクササイズチェアーであって、以下を含む；
座面の後端とその下端で固定されている背もたれを含むイスフレーム、
各フレームは、一つのフレームの側縁と固定されていて、フレームから横方向に突き出ている少なくとも一つの上部アンカーノブおよび/またはアンカーアパーチャを含む、
座面の下端と固定されており、サポート表面上でエクササイズチェアーをサポートするよう適合されている土台、
土台は、そこから突き出ている少なくとも一つの下部アンカーノブおよび/またはアンカーアパーチャ、および/または土台を横断する少なくとも一つのアンカーアパーチャを有する、
あらゆるアンカーノブまたはアンカーアパーチャに選択的に固定されるよう適合した少なくとも一つのエラストマー抵抗バンド、
座面に選択的に固定可能な取り外し可能なケース、
取り外し可能なケースは内部の収納スペースにアクセスできる選択的な開口を持ち、ケースはさらにハンドルを有し、複数の抵抗バンドや延長チューブを保持するよう適合されており、ケースはさらにそこから突き出ている複数のアンカーノブおよび/またはその中の複数のアンカーアパーチャを含んでいる。
これにより人はイスに座り、イスはサポート表面の上に置かれ、少なくとも一つの抵抗バンドを押したり引いたりして人が運動するように、少なくとも一つの抵抗バンドはあらゆるアンカーノブまたはアンカーアパーチャに固定され得る。
【国際調査報告】
2019513073.tif 000022